(57)【要約】【課題】  着脱可能な携帯電子装置によって表示されている映像を、車両の走行中は表示しないようにすることができる車載用電子システムを提供する。【解決手段】  車両に搭載される車載機器１００と、表示部１１を有し車載機器１００に着脱可能なポータブル機器１０とを有する車載用電子システムであって、車載機器１００は、車両が走行状態にあることを検出した場合、ポータブル機器１０に動画像の表示を禁止させる禁止信号を出力する制御部１４０を備え、ポータブル機器１０は、禁止信号を車載機器１００から入力すると、表示部１１への動画像の表示を禁止させる制御部２０を備えている。【選択図】        図５
2009035024.tif 000002
【特許請求の範囲】
【請求項１】
車両に搭載される車載用電子装置と、表示部を有し該車載用電子装置に着脱可能な携帯電子装置とを有する車載用電子システムであって、
前記車載用電子装置は、前記車両が走行状態にあることを検出した場合、前記携帯電子装置に動画像の表示を禁止させる禁止信号を出力する第１制御手段を備え、
前記携帯電子装置は、前記禁止信号を前記車載用電子装置から入力すると、前記表示部への動画像の表示を禁止させる第２制御手段を備えることを特徴とする車載用電子システム。
【請求項２】
前記第２制御手段は、前記禁止信号が入力されると、記憶手段に記憶した静止画像を表示させることを特徴とする請求項１記載の車載用電子システム。
【請求項３】
前記携帯電子装置は、外部機器と接続して、該外部機器から動画像を入力する外部機器接続端子を有し、
前記第２制御手段は、前記禁止信号が入力されると、前記表示部への前記外部機器からの動画像の表示を停止させることを特徴とする請求項１又は２記載の車載用電子システム。
【請求項４】
車両に搭載され、表示部を有する携帯電子装置を着脱可能な車載用電子装置であって、
前記車両が走行状態にあることを検出した場合に、前記携帯電子装置に動画像の表示を禁止させる禁止信号を出力する第１制御手段を有することを特徴とする車載用電子装置。
【発明の詳細な説明】
【技術分野】
【０００１】
本発明は、車両に搭載される車載用電子装置と、この車載用電子装置に着脱可能なナビゲーション装置等の表示部を有する携帯電子装置とを有する車載用電子システムに関する。
【背景技術】
【０００２】
従来のナビゲーション装置として、パーソナルナビゲーションデバイスと呼ばれる、簡易的ではあるが可搬性を持った小型のポータブルナビゲーション装置（以下、ポータブルナビと呼ぶ）と、車両のダッシュボードに形成された凹部（ＤＩＮ開放）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１及び特許文献２には、車載機器からＣＤユニットを着脱可能とする構成が開示されている。特許文献３及び特許文献４には、車両に搭載された車載機器からナビゲーション部を着脱可能とする構成が開示されている。車載機器からナビゲーション部を取り外すことで、ナビゲーション部をポータブルナビとして単体で使用することが可能となる。また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００５】
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００６】
表示部を有する携帯電子装置（例えば、ポータブルナビ）を車載用電子装置に装着して、携帯電子装置に外部接続した外部機器からの映像を携帯電子装置の表示部や車両に設けられた後部座席用のモニタに表示したとする。この場合、携帯電子装置には車両からの信号が入力されないので、走行中でも携帯電子装置の表示部には映像が表示されるため、ドライバが運転に集中できず危険である。
【０００７】
本発明は上記課題に鑑みなされたものであり、着脱可能な携帯電子装置によって表示されている映像を、車両の走行中は表示しないようにすることができる車載用電子システム及び車載用電子装置を提供することを目的とする。
【課題を解決するための手段】
【０００８】
かかる目的を達成するために本発明の車載用電子システムは、車両に搭載される車載用電子装置と、表示部を有し該車載用電子装置に着脱可能な携帯電子装置とを有する車載用電子システムであって、前記車載用電子装置は、前記車両が走行状態にあることを検出した場合、前記携帯電子装置に動画像の表示を禁止させる禁止信号を出力する第１制御手段を備え、前記携帯電子装置は、前記禁止信号を前記車載用電子装置から入力すると、前記表示部への動画像の表示を禁止させる第２制御手段を備えることを特徴としている。
このように本発明によれば、着脱可能な携帯電子装置によって表示されている映像を、車両の走行中は表示しないようにすることができる。
【０００９】
上記車載用電子システムにおいて、前記第２制御手段は、前記禁止信号が入力されると、記憶手段に記憶した静止画像を表示させるとよい。
従って、禁止信号が入力されると静止画像を表示するので、ドライバを運転に集中させることができる。
【００１０】
上記車載用電子システムにおいて、前記携帯電子装置は、外部機器と接続して、該外部機器から動画像を入力する外部機器接続端子を有し、前記第２制御手段は、前記禁止信号が入力されると、前記表示部への前記外部機器からの動画像の表示を停止させることを特徴としている。
【００１１】
本発明の車載用電子装置は、車両に搭載され、表示部を有する携帯電子装置を着脱可能な車載用電子装置であって、前記車両が走行状態にあることを検出した場合に、前記携帯電子装置に動画像の表示を禁止させる禁止信号を出力する第１制御手段を有することを特徴としている。
本発明によれば、着脱可能な携帯電子装置によって表示されている映像を、車両の走行中は表示しないようにすることができる。
【発明の効果】
【００１２】
本発明によれば、着脱可能な携帯電子装置によって表示されている映像を、車両の走行中は表示しないようにすることができる。
【発明を実施するための最良の形態】
【００１３】
以下、添付図面を参照しながら本発明の好適な実施例を説明する。
【実施例】
【００１４】
図１（Ａ）、（Ｂ）に車載用電子システム１の外観を示す。図１（Ａ）、（Ｂ）に示す車載用電子システム１は、車両に搭載される車載機器（車載用電子装置）１００と、ナビゲーション機能を備えたポータブル機器（携帯電子装置）１０とから構成される。ポータブル機器１０は、図１（Ａ）に示すように車載機器１００の前面部１２０に取り付けて使用したり、図１（Ｂ）に示すように車載機器１００から取り外して使用することができる。このように、ポータブル機器１０は車載機器１００への取付けと、車載機器１００からの取り外しを自在に行うことができる。
【００１５】
車載機器１００は、ラジオ放送やＴＶ放送の再生機能や、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）等の記録媒体に書き込まれた音楽データを再生可能な機器であり、ＣＤ／ＤＶＤ再生部やＣＤ／ＤＶＤ挿排口を有する車載機器本体部１１０と、表示部１３１や操作部１３２を有する前面部１２０とを備えている。ポータブル機器１０は、目的地までの誘導経路を検索し、地図上に検索した誘導経路を重ねて表示するナビゲーションの機能を備えている。
【００１６】
図２は、ポータブル機器１０を車載機器１００から取り外した状態を示す。車載機器１００の前面部１２０には、ポータブル機器１０を装着するための凹部が形成された着脱部１７０が設けられている。着脱部１７０の上面は開放されている。この着脱部１７０には、車載機器１００とポータブル機器１０とを電気的に接続するためのコネクタ１５０と、ポータブル機器１０を前面部１２０に固定するためのロック機構（不図示）が設けられている。前面部１２０に設けた取り外しボタン１６０を操作すると、不図示のロック機構が解除され、車載機器１００からポータブル機器１０が取り外し可能となる。
【００１７】
図３には、前面部１２０を車載機器本体部１１０に対して傾斜させ、ＣＤ／ＤＶＤ挿排口１８０を露出させた状態を示す。不図示の駆動機構によって図３に示すスライダー１８１を駆動させることで、前面部１２０を車載機器本体部１１０に対してチルト（変位）させることができる。チルト動作によって、車載機器本体部１１０に設けられたＣＤ／ＤＶＤ挿排口１８０を露出させ、ＤＶＤまたはＣＤの挿排を行うことができる。車載機器１００の前面部１２０には、操作ボタン（図６に示すチルト／イジェクトボタン１３２ａ）が設けられており、このボタンの操作に応じたチルト角度に設定することができる。
【００１８】
図４は、車載用電子システム１の車両への搭載例を示す。車載用電子システム１は、例えば図４に示すように、運転席５２と助手席５１とのほぼ中央のダッシュボード部分に配置される。なお、図示していないが、後述するＧＰＳ情報受信部１３３のＧＰＳアンテナは、ダッシュボード上に配置、またはフロントガラスの車室内側に貼り付けられている。また、図示していないが、後述する後席表示部２０４は、車室内の天井や前席のヘッドレスト等に配置される。
【００１９】
図５は、車載用電子システム１の概略構成を示すブロック図である。車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を接続することで、車載機器１００とポータブル機器１０との間で各種信号が送受信されて車載用電子システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２０】
車載機器１００は、表示部１３１、操作部１３２、ＧＰＳ情報受信部１３３、ラジオ／ＴＶ受信部１３４、ＣＤ／ＤＶＤ再生部１３５、音声調整部１３６、メモリ１３７、マイク１３８、外部音声／映像入力部１３９、制御部１４０、コネクタ１５０を備えている。車載機器１００は、エンジンキーがＡｃｃ又はＯＮの位置にあるときに、車両側のバッテリから電力を供給されて動作する。
【００２１】
以下、各部の機能の詳細について説明する。表示部１３１は、液晶パネルやバックライトを備え、１３セグメント表示によって受信放送周波数、再生楽曲トラックＮｏ、再生楽曲名等を表示する。操作部１３２は、車載機器１００の動作モードを切り替えるための操作や、切り替えた各種モードでの操作を行うためのものである。操作部１３２には、図６に示すようにチルト／イジェクトボタン１３２ａ、ファンクション（以下、ＦＵＮＣと表記する）／ＡＦボタン１３２ｂ、ＴＥＸＴボタン１３２ｃ、ＳＣＲＥＥＮボタン１３２ｄ、ＳＯＵＲＣＥ／ＰＷＲボタン１３２ｅ、ＭＯＤＥボタン１３２ｆ、ＭＵＴＥボタン１３２ｇ、ＢＡＮＤ切換ボタン１３２ｈ、ロータリーボタン１３２ｉ、十字キー／エンターキーボタン１３２ｊとからなるボタン群を備える。
【００２２】
ここで、ボタン群の操作による制御について説明する。まず、ＳＯＵＲＣＥ／ＰＷＲボタン１３２ｅの操作によるポータブル機器１０と車載機器１００の表示の切り替えについて説明する。車載機器１００のＳＯＵＲＣＥ／ＰＷＲボタン１３２ｅを押下することで、車載機器１００がオンされる。また車載機器１００がオンしているときに、ＳＯＵＲＣＥ／ＰＷＲボタン１３２ｅを短押しすることでＣＤ再生、ＤＶＤ再生やラジオ、ＴＶ等のソースの移行が行われる。このとき、車載機器１００の表示部１３１には、選択されたソースにおける情報が表示され、ポータブル機器１０の表示部１１には、ソースに関係なくナビゲーション画像が表示される。次に、ＳＣＲＥＥＮボタン１３２ｄを押下すると、ポータブル機器１０の表示部１１の表示をナビゲーション画像から車載機器１００で選択されたソースに対応する画像に切替えることができる。
【００２３】
図７（Ａ）は車載機器１００でＣＤを再生中にポータブル機器１０を装着し、ポータブル機器１０でナビゲーション動画像を表示している状態を示している。図７（Ａ）の状態から、ＳＯＵＲＣＥ／ＰＷＲボタン１３２ｅを押下して、ＣＤ再生からラジオのソースに切換操作を行うと、図７（Ｂ）に示すように、表示部１３１にラジオソースにおける情報が表示される。また、ポータブル機器１０の表示部１１には、ナビゲーション動画像が表示されたままである。次に、ユーザがＳＣＲＥＥＮボタン１３２ｄを押下すると、図７（Ｃ）に示すようにポータブル機器１０の表示部１１に、車載機器１００で処理中のソースに対応する動画像が表示される（図７（Ｃ）ではラジオ動画像）。ポータブル機器１０の表示部１１には、後述するタッチパネルが設けられており、ユーザはタッチパネルを介して表示部１１に表示される操作ボタンを選択することで、現在処理中のソースに対する操作をすることができる。
【００２４】
また、表示部１１にラジオ画像が表示された状態で、ＳＣＲＥＥＮボタン１３２ｄを押下すると、図７（Ｄ）に示すようにラジオ画像からナビゲーション画像に戻ることができる。ポータブル機器１０が車載機器１００から取り外されている状態では、ＳＣＲＥＥＮボタン１３２ｄの操作は無効となる。また、ポータブル機器１０が車載機器１００から取り外されている状態で、外部音声／映像入力部１３９にＵＳＢ（Ｕｎｉｖｅｒｓａｌ  Ｓｅｒｉａｌ  Ｂｕｓ）等が接続された場合には、ＳＯＵＲＣＥ／ＰＷＲボタン１３２ｅを押下しても、ＵＳＢのソースには切り替わらないようにすることもできる。
【００２５】
次に、チルト／イジェクトボタン１３２ａの操作による前面部１２０のチルト動作について説明する。チルト／イジェクトボタン１３２ａが第１の態様（例えば、短押し）で操作されると、前面部１２０は、ＣＤ／ＤＶＤ挿排口１８０が露出する角度（例えば、６０°）まで、前面部１２０がチルトされ、第２の態様（例えば、長押し）で操作されると、所定角度（例えば、５°）ずつ前面部１２０がチルトする。
【００２６】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。なお、ＧＰＳ情報受信部１３３で受信したＧＰＳ信号を制御部１４０を介さずに、制御部２０を介してポータブル機器１０のナビゲーション部に出力するようにしてもよい。また、ＧＰＳ情報受信部１３３をＧＰＳアンテナのみで構成し、ＧＰＳアンテナで受信したＧＰＳ信号を、制御部１４０、制御部２０を介さず、後述するＧＰＳ情報受信部１３のチューナに出力するようにしてもよい。さらに、制御部２０は介するが、制御部１４０を介さずＧＰＳ情報受信部１３のチューナに出力するようにしてもよい。このように、適宜変更可能である。
【００２７】
ラジオ／ＴＶ受信部１３４は、アンテナとチューナ部とを有しており、ＡＭ放送、ＦＭ放送、多重放送、ＴＶ放送等の放送波を受信して、音声信号、動画像信号、多重データの受信、復調を行い、復調信号を制御部１４０に出力する。ＣＤ／ＤＶＤ再生部１３５は、ＤＶＤまたはＣＤに記録されたデータを再生し、再生信号を制御部１４０に出力する。なお、ラジオ／ＴＶ受信部１３４から出力される復調信号（音声信号）を制御部１４０を介さずに、後述する音声調整部１３６に出力するようにしてもよい。動画像データはポータブル機器１０及び後席表示部２０４にも送信される。
【００２８】
音声調整部１３６は、ラジオ／ＴＶ受信部１３４で受信、復調された音声信号や、ＣＤ／ＤＶＤ再生部１３５で再生された音声信号に、音量調整や音質調整等の信号処理をしてスピーカ１４５に出力する。メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。マイク１３８は、ハンズフリー通話を行うためのものであって、車室内のユーザの音声を取り込む。外部音声／映像入力部１３９は、ＵＳＢメモリや、携帯型オーディオ装置等の外部機器との接続端子を備え、外部機器からの音声信号やデータを入力して制御部１４０に出力する。また、制御部１４０からの制御信号、音声信号やデータ等を接続した外部機器に出力する。
【００２９】
制御部１４０（第１制御手段）は、操作部１３２の操作に従って、ラジオ／ＴＶ受信部１３４、ＣＤ／ＤＶＤ再生部１３５、音声調整部１３６などを制御する。また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。なお、マイク１３８で入力された音声信号を、制御部１４０を介さずに、コネクタ１５０を介してポータブル機器１０に出力してもよい。また、制御部１４０は、ポータブル機器１０と接続された携帯電話からの通話音声をコネクタ１５０を介して入力し、音声調整部１３６を介してスピーカ１４５に出力する。さらに、制御部１４０は、ポータブル機器１０の表示部１１に表示される、各種モードのメニュー動画像に対する操作信号をポータブル機器１０の制御部２０から取得し、ラジオ／ＴＶ受信部１３４やＣＤ／ＤＶＤ再生部１３５の制御を行う。
【００３０】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。なお、車速パルスが入力されない構成でもよい。
さらに制御部１４０には、車両のパーキングブレーキ（サイドブレーキ）が操作状態にあることを示すパーキングブレーキ信号（以下、ＰＫＧ信号とも表記する）が入力される。制御部１４０は、車両からＰＫＧ信号を入力することで、車両が停止状態にあると判定する。
【００３１】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、ビデオキャプチャ回路２１、外部音声／映像入力部２２、コネクタ３０を備えている。
【００３２】
以下、各部の機能の詳細について説明する。表示部１１は、液晶パネルとバックライトとを備え、ナビゲーション部１９で生成された地図情報や目的地までの誘導経路情報、また車載機器１００から転送された受信放送周波数、再生楽曲トラックＮｏ、再生楽曲名、ＴＶ画像、ＤＶＤ画像等を表示することができる。画像データは、ビデオキャプチャ回路２１を介し制御部２０に入力する。表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００３３】
操作部１２は、タッチパネルや、ポータブル機器１０の電源をオン、オフするための電源ボタン５５（図８（Ａ）参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００３４】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自機位置が割り出される。なお、車載機器１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００３５】
スピーカ１４は、ナビゲーション部１９からの音声情報を出力するためのものであり、ポータブル機器１０が車載機器１００から取り外された状態、つまり単体で使用されるときに、音声情報を出力する。
【００３６】
蓄電池１５は、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット５７（図８（Ａ）参照）を介して接続端末から電力の供給を受けて、蓄電池１５を充電することができる。
【００３７】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００３８】
メモリ１８は、例えば読み出しと書き込みとが可能なＲＡＭであり、各制御のために読み出された情報を一時的に記憶しておく。
【００３９】
外部音声／映像入力部２２は、ＳＤカード（Secure Digital memory card）等のメモリカードや、携帯型オーディオ／映像装置等の外部機器との接続端子であるＵＳＢスロット５７等と接続され、外部機器から出力される映像信号、音声信号やデータを入力して制御部２０に送る。
【００４０】
ナビゲーション部１９は、ナビゲーションのために利用される地図情報を記憶した後述するＳＤカードやＵＳＢメモリから取得し、記憶する地図情報記憶部を備え、ＧＰＳ情報受信部１３３、又は１３からのＧＰＳ信号によって現在位置情報を割り出し、ナビゲーション動作のための動画像を作成する。作成した動画像は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。なお、地図情報はポータブル機器１０内に保持してもよい。
【００４１】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画像やコンテンツ画像に対する操作信号をコネクタ３０を介して車載機器１００の制御部１４０に出力する。制御部１４０は、ポータブル機器１０の制御部２０から送られた操作信号に応じて、ラジオ／ＴＶ受信部１３４やＣＤ／ＤＶＤ再生部１３５を制御する。
【００４２】
図８（Ａ）に、ポータブル機器１０の正面図、上面図、下面図、左側面図、右側面図を示し、図８（Ｂ）にポータブル機器１０の背面図を示す。ポータブル機器１０の上面には、ポータブル機器の電源をオン、オフさせる電源ボタン５５が設けられており、正面には、ＵＳＢスロット５７が設けられており、下面には、ＳＤ（Ｓｅｃｕｒｅ  Ｄｉｇｉｔａｌ）メモリカードスロット５６が設けられている。地図情報、音声情報や映像情報が記憶されたＳＤカード、ＵＳＢメモリや携帯型オーディオ／映像装置等の外部機器をこれらのスロットに差し込んだり接続することで、制御部２０はＳＤカード、ＵＳＢメモリや携帯型オーディオ／映像装置等の外部機器から地図情報、音声情報や映像情報等を読み出し、ナビゲーション部１９に地図情報を出力したり、外部音声／映像入力部２２に音声情報や映像情報を出力する。
【００４３】
ポータブル機器１０の電源は、ポータブル機器を車載機器１００に装着したときには、車載機器１００からの制御によって電源がオン、オフされる。また、車載機器１００から取り外してポータブル機器１０を単体で使用する場合には、電源ボタン５５のオン、オフ操作に基づいて電源が操作される。
【００４４】
さらに、ポータブル機器１０の背面側には、車載機器１００との電気的な接続をとるためのコネクタ３０と、車載機器１００側に設けたロック機構（不図示）と係合する係合部５８とが設けられている。
【００４５】
車載用電子システム１において、ポータブル機器１０の表示部１１に表示される動画像のソースには、外部音声／映像入力部２２に接続した外部機器から出力される動画像（映像）信号と、ＣＤ／ＤＶＤ再生部１３５で再生される動画像（映像）信号と、ラジオ／ＴＶ受信部１３４で受信・復調した動画像（映像）信号がある。
このうちＣＤ／ＤＶＤ再生部１３５、ラジオ／ＴＶ受信部１３４は、車載機器１００側に設けられた機器であるため、ポータブル機器１０にＣＤ／ＤＶＤ再生部１３５、ラジオ／ＴＶ受信部１３４からの動画像（映像）を表示中に、車両が走行を開始したときには、車載機器１００でポータブル機器１０への動画像（映像）信号の出力を停止させればよい。
しかしながら、車両の走行中にポータブル機器１０の外部音声／映像入力部２２から入力した動画像（映像）信号の表示を停止させるには、ポータブル機器１０には車両からのパーキングブレーキ信号が入力されることはないので、ポータブル機器１０側では、動画像（映像）の表示を停止することはできないため、車載機器１００側でこれを停止させなければならない。
そこで、本実施例では、ポータブル機器１０の外部音声／映像入力部２２から入力した動画像（映像）信号の表示中に、車両が走行状態になると、車載機器１００の制御部１４０がポータブル機器１０に禁止信号を出力して、動画像（映像）の表示を停止させる。禁止信号を入力したポータブル機器１０の制御部２０は、外部音声／映像入力部２２から入力した動画像（映像）信号ではなく、メモリ１８に用意された静止画像、例えば青画像を表示部１１に表示させる。
また、車両が停止すると、車載機器１００の制御部１４０は、解除信号の出力を停止する。これによりポータブル機器１０では、外部音声／映像入力部２２から入力した動画像（映像）信号の表示を再開させる。
なお、後席表示部２０４には、車両の停止、走行状態にかかわらず動画像（映像）が表示される。ポータブル機器１０の制御部２０は、外部音声／映像入力部２２から入力した動画像（映像）信号を車載機器１００の制御部１４０に出力する。車載機器１００の制御部１４０は、ポータブル機器１０から入力した動画像（映像）信号を、後席表示部２０４に表示させる。
【００４６】
次に、図９に示すフローチャートを参照しながらＴＶ動画像（映像）、ＤＶＤ動画像（映像）、ポータブル機器１０の外部音声／映像入力部２２に入力された動画像（映像）等の動画像（映像）が表示指示さた場合の車載機器１００の制御部１４０の処理手順を説明する。
車載機器１００の制御部１４０は、ＴＶ動画像（映像）、ＤＶＤ動画像（映像）、ポータブル機器１０の外部音声／映像入力部２２に入力された動画像（映像）等の動画像（映像）の表示指示が操作部１３２又はポータブル機器１０の操作部１２から入力されると本処理を開始し、操作部１３２又はポータブル機器１０の操作部１２からの動画像（映像）信号の信号源（ソース）の切り換えが行われるまで本処理を繰り返す。まず、制御部１４０は、車載機器１００が搭載されている車両の走行状態を、入力されるパーキングブレーキ信号や車速パルスから判定する（ステップＳ１）。例えば、パーキングブレーキ信号がオン（パーキングブレーキオン）の場合、及び／又は車速が０（又は所定速度未満）の場合に停車状態と判定し、パーキングブレーキ信号がオフ（パーキングブレーキ解除）の場合、及び／又は車速が０以外（又は所定速度以上）の場合に走行状態と判定する。
車載機器１００が搭載されている車両が停止状態であると判定した場合（ステップＳ１／ＮＯ）、操作部１３２又はポータブル機器１０の操作部１２により選択されたソース（ＴＶ、ＤＶＤ、外部入力）に対応する動画像（映像）をラジオ／ＴＶ受信部１３４、ＣＤ／ＤＶＤ再生部１３５、外部音声／映像入力部２２から取得し、ポータブル機器１０のビデオキャプチャ回路２１及び後席表示部２０４に出力し、ポータブル機器１０の表示部１１及び後席表示部２０４に動画像（映像）を表示させる（ステップＳ２）。
また、車載機器１００が搭載されている車両が走行状態であると判定した場合（ステップＳ１／ＹＥＳ）、選択されているソースが車載機器１０側（例えば、ＴＶやＤＶＤ）か否かを判定する（ステップＳ３）。選択されているソースが車載機器１００側である場合（ステップＳ３／ＹＥＳ）、制御部１４０は、選択されているソースに対応する動画像（映像）をラジオ／ＴＶ受信部１３４、ＣＤ／ＤＶＤ再生部１３５から取得して、ポータブル機器１０のビデオキャプチャ回路２１への出力を行わない（停止する）（ステップＳ４）。なお、ポータブル機器１０の制御部２０は、車載機器１００から動画像（映像）信号の入力が停止した場合、メモリ１８に予め記憶されている青画像を表示部１１に表示させる。
次に、制御部１４０は、ステップＳ１と同様に、車載機器１００が搭載されている車両の走行状態を、入力されるパーキングブレーキ信号や車速パルスから判定する（ステップＳ５）。走行状態であると判定した場合（ステップＳ５／ＮＯ）には、停車状態が検出されるまでステップＳ５を繰り返し、停車状態であると判定した場合（ステップＳ５／ＹＥＳ）には、選択されているソースに対応する動画像（映像）をラジオ／ＴＶ受信部１３４、ＣＤ／ＤＶＤ再生部１３５から取得してポータブル機器１０のビデオキャプチャ回路２１へ出力（ステップＳ６）して、ステップＳ１に戻る。
つまり、制御部１４０は、車載機器１００が搭載される車両が走行状態、かつ選択されているソースが車載機器１００側である場合、ポータブル機器１０への動画像（映像）信号を停止する。
【００４７】
また、制御部１４０は、選択されているソースが車載機器１００側ではない、つまりポータブル機器１０側であると判定した場合（ステップＳ３／ＮＯ）には、ポータブル機器１０の制御部２０に、外部音声／映像入力部２２から入力された動画像（映像）の表示部１１への表示を禁止する禁止信号を出力する（ステップＳ７）。なお、ポータブル機器１０の制御部２０は禁止信号が入力されると、解除信号が入力されるまでメモリ１８に予め記憶されている青画像を表示部１１に表示させる。
【００４８】
次に、制御部１４０は、ステップＳ１と同様に、車載機器１００が搭載されている車両の走行状態を入力されるパーキングブレーキ信号や車速パルスから判定する（ステップＳ８）。走行状態であると判定した場合（ステップＳ８／ＮＯ）には、停車状態が検出されるまでステップＳ７を繰り返し、停車状態であると判定した場合（ステップＳ８／ＹＥＳ）には、解除信号をポータブル機器１０の制御部２０に出力（ステップＳ９）して、ステップＳ１に戻る。なお、ポータブル機器１０の制御部２０は、解除信号を受信すると、外部音声／映像入力部２２から取得した動画像（映像）を表示部１１に出力させる。
つまり、制御部１４０は、車載機器１００が搭載される車両が走行状態、かつ選択されているソースがポータブル機器１０側である場合、ポータブル機器１０の外部音声／映像入力部２２から入力した動画像（映像）の表示部１１への表示を禁止する禁止信号を出力し、停止状態になると解除信号を出力する。
【００４９】
次に、図１０に示すフローチャートを参照しながらＴＶ動画像（映像）、ＤＶＤ動画像（映像）、ポータブル機器１０の外部音声／映像入力部２２に入力された動画像（映像）等の動画像（映像）が表示指示された場合のポータブル機器１０の制御部２０の処理手順を説明する。
ポータブル機器１０の制御部２０は、ＴＶ動画像（映像）、ＤＶＤ動画像（映像）、ポータブル機器１０の外部音声／映像入力部２２に入力された動画像（映像）等の動画像（映像）の表示指示が操作部１３２又はポータブル機器１０の操作部１２から入力されると本処理を開始し、操作部１３２又はポータブル機器１０の操作部１２から動画像（映像）信号の信号源（ソース）の切り換えを検出するまで本処理を繰り返す。
【００５０】
まず、制御部２０は操作部１３２又はポータブル機器１０の操作部１２により選択されたソースが車載機器１００側（例えば、ＴＶやＤＶＤ）か否かを判定する（ステップＳ１１）。選択されているソースが車載機器１００側であると判定した場合（ステップＳ１１／ＹＥＳ）、車載機器１００の制御部１４０からビデオキャプチャ回路２１を介してＴＶ動画像（映像）、ＤＶＤ動画像（映像）等の動画像（映像）信号の入力があるか否かを判定する（ステップＳ１２）。
ポータブル機器１０の制御部２０は、ＴＶ動画像（映像）、ＤＶＤ動画像（映像）等の動画像（映像）信号の入力があると判定した場合（ステップＳ１２／ＹＥＳ）、入力された動画像（映像）を表示部１１に出力し、表示部１１に動画像を表示（ステップＳ１３）させ、ステップＳ１１に戻る。
また、ＴＶ動画像（映像）、ＤＶＤ動画像（映像）等の動画像（映像）信号の入力がないと判定した場合（ステップＳ１２／ＮＯ）、メモリ１８に予め記憶された青画像を表示部１１に出力し、表示部１１１に青画像を表示（ステップＳ１４）させ、ステップＳ１１に戻る。
つまり、制御部２０は、車載機器１００側のソースが選択されている状態で、ＴＶ動画像（映像）、ＤＶＤ動画像（映像）等の動画像（映像）信号の入力がある場合（停車状態）には、入力された動画像（映像）を表示部１１に表示させ、入力がない場合（走行状態）には、青画像を表示部１１に表示させる。
【００５１】
また、制御部２０は、選択されているソースが車載機器１００側でない、つまり、ポータブル機器１０側（外部音声／映像入力部２２からの映像入力）と判定した場合（ステップＳ１１／ＮＯ）、車載機器１００の制御部１４０から禁止信号が入力されているか否かを判定する（ステップＳ１５）。車載機器１００の制御部１４０から禁止信号が入力されていない場合には（ステップＳ１５／ＮＯ）、外部音声／映像入力部２２から入力する動画像（映像）信号を表示部１１に出力し、表示部１１に動画像（映像）を表示させ（ステップＳ１６）、ステップＳ１１に戻る。
また、ポータブル機器１０の制御部２０は、車載機器１００の制御部１４０から禁止信号を入力した場合には（ステップＳ１５／ＹＥＳ）、メモリ１８に用意した青画像を表示部１１に出力して表示させ（ステップＳ１７）、車載機器１００の制御部１４０から解除信号が入力されたか否かを判定する（ステップＳ１８）。解除信号の入力がない場合（ステップＳ１８／ＮＯ）には、解除信号の入力があると判定するまでステップＳ１７を繰り返し、解除信号が入力された場合（ステップＳ１８／ＹＥＳ）には、外部音声／映像入力部２２から入力する動画像（映像）を表示部１１に表示させ（ステップＳ１９）、ステップＳ１１に戻る。
つまり、制御部２０は、ポータブル機器１０側のソース（外部音声／映像入力部２２から入力される動画像（映像））が選択されている状態で、禁止信号が入力されていない場合、外部音声／映像入力部２２から入力される動画像（映像）を表示部１１に表示させ、禁止信号が入力された場合には、解除信号が入力されるまで青画像を表示部１１に表示させる。
【００５２】
このように本実施例は、着脱可能なポータブル機器１０によって表示されている動画像（映像）を、車載機器１００の制御部１４０によって車両の走行中は表示しないようにすることができる。
なお、本実施例では、車載機器１００からの動画像（映像）信号の入力がない場合、ポータブル機器１０はメモリ１８に記憶されている青画像を表示部１１に表示する構成について説明したが、車載機器１００が青画像を出力し、ポータブル機器１０は入力した青画像を表示部１１に表示してもよい。
また、本実施例では、車載機器１００から解除信号が入力された場合、ポータブル機器１０は、外部音声／映像入力部２２から入力した動画像（映像）を表示部１１に表示する構成について説明したが、外部音声／映像入力部２２からの動画像（映像）が選択され、かつ走行状態にある場合に制御部１４０は禁止信号を出力し続け、停車状態になった場合に禁止信号の出力を停止するようにし、制御部２０は、禁止信号が入力されている間、青画像を表示してもよい。
また、制御部１４０からポータブル機器１０に禁止信号を出力する構成について説明したが、制御部１４０はポータブル機器１０に青画像を出力するようにしてもよい。ポータブル機器１０の制御部２０は青画像を入力した場合は、表示部１１に入力された青画像を外部音声／映像入力部２２から入力された動画像（映像）より優先して出力してもよい。
また、上述した実施例では、ポータブル機器１０の表示部１１に青画像を表示する構成について説明したがこれに限定されるものではなく、ドライバの運転に支障をきたさない画像を表示したり、表示を禁止してもよい。
また、制御部２０は、制御部１４０からの禁止信号に基づいて青画像を表示する構成について説明したが、制御部１４０が入力される車速パルスに基づいて走行状態を判定し、青画像を表示するようにしてもよい。
さらに、ナビゲーション機能付ポータブル機器について説明したが、電話機能を有する携帯電話を適用してもよいし、携帯電話付ナビゲーションを適用してもよい。
【００５３】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００５４】
【図１】図１（Ａ）、（Ｂ）は実施例１に用いる車載用電子システムの外観を示す模式図である。
【図２】図２はポータブル機器を車載機器から取り外した状態を示す模式図である。
【図３】図３は前面部を車載機器本体に対して傾斜させ、ＣＤ挿排口を露出させた状態を示す模式図である。
【図４】図４は、車載用電子システムの車両への搭載例を示す模式図である。
【図５】図５は、車載用電子システムを示す概略図である。
【図６】図６は本体部の正面模式図である。
【図７】図７（Ａ）から（Ｄ）は本体部に装着されたポータブル機器の表示を示す模式図である。
【図８】図８（Ａ）は、ポータブル機器の正面模式図、上面模式図、下面模式図、左側面模式図、右側面模式図であり、図８（Ｂ）はポータブル機器の背面模式図である。
【図９】図９は、車載機器の処理手順を示すフローチャートである。
【図１０】図１０は、ポータブル機器の処理手順を示すフローチャートである。
【符号の説明】
【００５５】
１０  ポータブル機器
１１  表示部
１２  操作部
１３  ＧＰＳ信号受信部
１４  スピーカ
１５  蓄電池
１６  充電回路
１７  無線通信送受信部
１８  メモリ
１９  ナビゲーション部
２０  制御部（第２制御手段）
２２  外部音声／映像入力部
１００  車載機器
１２０  挿入口
１３１  表示部
１３２  操作部
１３３  ＧＰＳ情報受信部
１３４  ラジオ受信部
１３５  ＣＤ／ＤＶＤ再生部
１３６  音声調整部
１３７  メモリ
１３８  マイク
１３９  外部音声／映像入力部
１４０  制御部（第１制御手段）
２０４  後席表示部
【図１】
2009035024.tif 000003
【図２】
2009035024.tif 000004
【図３】
2009035024.tif 000005
【図４】
2009035024.tif 000006
【図５】
2009035024.tif 000007
【図６】
2009035024.tif 000008
【図７】
2009035024.tif 000009
【図８】
2009035024.tif 000010
【図９】
2009035024.tif 000011
【図１０】
2009035024.tif 000012